(57)【要約】【課題】新規な容器を提供することを目的とする。【解決手段】本発明の容器は、射出成形体からなる容器１である。前記容器１は、底部と、前記底部の周辺から上方に形成された壁部３と、前記壁部３の上方に形成されたフランジ部４を有し、前記壁部３は、外側にラベル１０を含んでいる。前記容器１の垂直断面において、前記壁部３の外面には、形状変化点が存在し、前記形状変化点より上では、前記壁部３の外面は、円弧の形状を有し、前記形状変化点より下では、前記壁部３の外面は、直線の形状を有する。前記ラベル１０の上辺は、凹状部１１を有し、前記凹状部１１の下端は、前記フランジ部４と前記形状変化点の間に存在する。【選択図】図１
2020117281.tif 000002
【特許請求の範囲】
【請求項１】
射出成形体からなる容器であり、
前記容器は、底部と、
前記底部の周辺から上方に形成された壁部と、
前記壁部の上方に形成されたフランジ部を有し、
前記壁部は、外側にラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、凹状部を有し、
前記凹状部の下端は、前記フランジ部と前記形状変化点の間に存在する
ことを特徴とする容器。
【請求項２】
射出成形体からなる容器であり、
前記容器は、底部と、
前記底部の周辺から上方に形成された壁部と、
前記壁部の上方に形成されたフランジ部を有し、
前記壁部は、外側にラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、前記フランジ部と前記形状変化点の間に存在する
ことを特徴とする容器。
【請求項３】
射出成形する前において、
ラベルの側辺は、上側辺と下側辺からなり、
前記上側辺と前記下側辺は、側辺境界点で連続し、
容器の垂直断面において、
上記側辺境界点は、形状変化点よりも下方に存在する
ことを特徴とする請求項１または２のいずれかに記載の容器。
【請求項４】
射出成形体からなる容器に用いられる、ラベルであり、
前記容器は、底部と、
前記底部の周辺から上方に形成された壁部と、
前記壁部の上方に形成されたフランジ部を有し、
前記壁部は、外側に前記ラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、凹状部を有し、
前記凹状部の下端は、前記フランジ部と前記形状変化点の間に存在する
ことを特徴とするラベル。
【請求項５】
射出成形体からなる容器に用いられる、ラベルであり、
前記容器は、底部と、
前記底部の周辺から上方に形成された壁部と、
前記壁部の上方に形成されたフランジ部を有し、
前記壁部は、外側に前記ラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、前記フランジ部と前記形状変化点の間に存在する
ことを特徴とするラベル。
【請求項６】
射出成形する前において、
ラベルの側辺は、上側辺と下側辺からなり、
前記上側辺と前記下側辺は、側辺境界点で連続し、
容器の垂直断面において、
上記側辺境界点は、形状変化点よりも下方に存在する
ことを特徴とする請求項４または５のいずれかに記載のラベル。
【発明の詳細な説明】
【技術分野】
【０００１】
本発明は、新規な容器に関する。
また、本発明は、新規なラベルに関する。
【背景技術】
【０００２】
従来、プラスチック容器は、射出成形等により製造することができる。
図２６は、従来の容器の断面を示す断面図である。また、図２７は、従来の容器に用いられるラベルであり、このラベルを展開した場合の展開図である。
【０００３】
容器１は、射出成形体からなる容器である。容器１は、底部２と、底部２の周辺から上方に形成された壁部３と、壁部３の上方に形成されたフランジ部４を有している。壁部３は、外側にラベル１０を含んでいる。
【０００４】
一方、予期しない不良要因の成型条件が発生しても、容器フランジ付け根部分及び容器の強度を低下させないインモールドラベリング容器と、その製造方法が報告されている（例えば、特許文献１参照）。
特許文献１においては、インモールドラベリングするに当たりラベルの上縁を凹凸又は波形状に形成することにより凹部を形成し、これを通じて容器胴とフランジ部とを連結する樹脂層を形成してラベル上縁の凸部が倒れても倒れなくともフランジ付け根部分の強度を低下させない容器を得ることができる。
【０００５】
また、段差部を有する容器に使用した場合でも皺などの欠陥を生じることなく、綺麗に貼り付けることができるインモールドラベルが開示されている（例えば、特許文献２参照）。
特許文献２においては、装着する容器の周方向に部材が連続して存在している連続領域と、前記周方向に部材が存在する部分と存在しない部分とが交互に現れる不連続領域とを有し、前記連続領域と不連続領域とは周方向に直線的に規定された境界部を境に一体に形成され、容器側胴部の段差部に前記境界部または不連続領域が配置される構成のインモールドラベルとしている。
【先行技術文献】
【特許文献】
【０００６】
【特許文献１】特開平８−１９７５７４号公報
【特許文献２】特開２０１１−１５０１４９号公報
【発明の概要】
【発明が解決しようとする課題】
【０００７】
しかしながら、特許文献１においては、壁部の外面が曲面を有する容器については、検討していない。
【０００８】
また、特許文献２においても、壁部の外面が曲面を有する容器については、検討していない。
【０００９】
そのため、このような課題を解決する、新規な容器の開発が望まれている。
また、新規なラベルの開発が望まれている。
【００１０】
本発明は、このような課題に鑑みてなされたものであり、新規な容器を提供することを目的とする。
また、本発明は、新規なラベルを提供することを目的とする。
【課題を解決するための手段】
【００１１】
上記課題を解決し、本発明の目的を達成するため、本発明の容器は、射出成形体からなる容器であり、前記容器は、底部と、前記底部の周辺から上方に形成された壁部と、前記壁部の上方に形成されたフランジ部を有し、前記壁部は、外側にラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、凹状部を有し、前記凹状部の下端は、前記フランジ部と前記形状変化点の間に存在することを特徴とする。
【００１２】
本発明の容器は、射出成形体からなる容器であり、前記容器は、底部と、前記底部の周辺から上方に形成された壁部と、前記壁部の上方に形成されたフランジ部を有し、前記壁部は、外側にラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、前記フランジ部と前記形状変化点の間に存在することを特徴とする。
【００１３】
本発明のラベルは、射出成形体からなる容器に用いられる、ラベルであり、前記容器は、底部と、前記底部の周辺から上方に形成された壁部と、前記壁部の上方に形成されたフランジ部を有し、前記壁部は、外側に前記ラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、凹状部を有し、前記凹状部の下端は、前記フランジ部と前記形状変化点の間に存在することを特徴とする。
【００１４】
本発明のラベルは、射出成形体からなる容器に用いられる、ラベルであり、前記容器は、底部と、前記底部の周辺から上方に形成された壁部と、前記壁部の上方に形成されたフランジ部を有し、前記壁部は、外側に前記ラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、前記フランジ部と前記形状変化点の間に存在することを特徴とする。
【発明の効果】
【００１５】
本発明は、以下に記載されるような効果を奏する。
【００１６】
本発明の容器は、射出成形体からなる容器であり、前記容器は、底部と、前記底部の周辺から上方に形成された壁部と、前記壁部の上方に形成されたフランジ部を有し、前記壁部は、外側にラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、凹状部を有し、前記凹状部の下端は、前記フランジ部と前記形状変化点の間に存在するので、新規な容器を提供することができる。
【００１７】
本発明の容器は、射出成形体からなる容器であり、前記容器は、底部と、前記底部の周辺から上方に形成された壁部と、前記壁部の上方に形成されたフランジ部を有し、前記壁部は、外側にラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、前記フランジ部と前記形状変化点の間に存在するので、新規な容器を提供することができる。
【００１８】
本発明のラベルは、射出成形体からなる容器に用いられる、ラベルであり、前記容器は、底部と、前記底部の周辺から上方に形成された壁部と、前記壁部の上方に形成されたフランジ部を有し、前記壁部は、外側に前記ラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、凹状部を有し、前記凹状部の下端は、前記フランジ部と前記形状変化点の間に存在するので、新規なラベルを提供することができる。
【００１９】
本発明のラベルは、射出成形体からなる容器に用いられる、ラベルであり、前記容器は、底部と、前記底部の周辺から上方に形成された壁部と、前記壁部の上方に形成されたフランジ部を有し、前記壁部は、外側に前記ラベルを含み、前記容器の垂直断面において、前記壁部の外面には、形状変化点が存在し、前記形状変化点より上では、前記壁部の外面は、円弧の形状を有し、前記形状変化点より下では、前記壁部の外面は、直線の形状を有し、前記ラベルの上辺は、前記フランジ部と前記形状変化点の間に存在するので、新規なラベルを提供することができる。
【図面の簡単な説明】
【００２０】
【図１】容器及びラベルにかかる第１の発明を実施するための形態を示す斜視図である。
【図２】容器及びラベルにかかる第１の発明を実施するための形態を示す正面図である。
【図３】容器及びラベルにかかる第１の発明を実施するための形態を示す背面図である。
【図４】容器及びラベルにかかる第１の発明を実施するための形態を示す平面図である。
【図５】容器及びラベルにかかる第１の発明を実施するための形態を示す底面図である。
【図６】容器及びラベルにかかる第１の発明を実施するための形態を示すＡ−Ａ断面図である。
【図７】容器にかかる発明を実施するための形態を示す容器拡大断面図である。
【図８】容器にかかる発明を実施するための形態を示す容器拡大断面図である。
【図９】容器及びラベルにかかる第１の発明を実施するための形態を示すＡ−Ａ拡大断面図である。
【図１０】容器及びラベルにかかる第１の発明を実施するための形態を示すＢ−Ｂ拡大断面図である。
【図１１】第１の発明を実施するための形態の容器に用いられるラベルであり、このラベルを展開した場合の展開図である。
【図１２】図１１のラベルの部分拡大図である。
【図１３】図１１のラベルの凹状部を示す展開図である。
【図１４】容器及びラベルにかかる第２の発明を実施するための形態を示す斜視図である。
【図１５】容器及びラベルにかかる第２の発明を実施するための形態を示す正面図である。
【図１６】容器及びラベルにかかる第２の発明を実施するための形態を示す背面図である。
【図１７】容器及びラベルにかかる第２の発明を実施するための形態を示す平面図である。
【図１８】容器及びラベルにかかる第２の発明を実施するための形態を示す底面図である。
【図１９】容器及びラベルにかかる第２の発明を実施するための形態を示すＡ−Ａ断面図である。
【図２０】容器及びラベルにかかる第２の発明を実施するための形態を示すＡ−Ａ拡大断面図である。
【図２１】第２の発明を実施するための形態の容器に用いられるラベルであり、このラベルを展開した場合の展開図である。
【図２２】図２１のラベルの部分拡大図である。
【図２３】比較例の容器の断面を示す断面図である。
【図２４】比較例の容器に用いられるラベルであり、このラベルを展開した場合の展開図である。
【図２５】比較例の容器の正面図である。
【図２６】従来の容器の断面を示す断面図である。
【図２７】従来の容器に用いられるラベルであり、このラベルを展開した場合の展開図である。
【発明を実施するための形態】
【００２１】
以下、本発明を実施するための形態、並びに、本発明を実施するための形態に対する比較例について説明する。
【００２２】
まず、容器及びラベルにかかる発明を実施するための形態に対する、比較例について説明する。
【００２３】
図２３は、比較例の容器の断面を示す断面図である。容器１は、射出成形体からなる容器である。前記容器１は、底部２を有している。前記底部２の周辺から上方に、壁部３が形成されている。壁部３は、底部２から容器１の外側に傾斜して形成されている。
【００２４】
底部２と壁部３により、収容する物を保持する空間を形成している。前記壁部３の上方にフランジ部４が形成されている。前記壁部３は、外側にラベル１０を含んでいる。容器１は、底部２と壁部３が接続する部分の下方に、糸足部５が形成されている。
【００２５】
壁部３の外面には、形状が変化する点が存在し、形状が変化する点より上では、壁部３の外面は円弧の形状を有し、形状が変化する点より下では、壁部３の外面は直線の形状を有している。
【００２６】
図２４は、比較例の容器に用いられるラベルであり、このラベルを展開した場合の展開図である。このラベルを用いて容器を射出成形すると、図２５の容器の正面図に示すように、壁部３の外面にあるラベル１０に、しわが発生するという問題点がある。
【００２７】
つぎに、容器及びラベルにかかる第１の発明を実施するための形態について説明する。
【００２８】
本発明の容器は、
射出成形体からなる容器であり、
前記容器は、底部と、
前記底部の周辺から上方に形成された壁部と、
前記壁部の上方に形成されたフランジ部を有し、
前記壁部は、外側にラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、凹状部を有し、
前記凹状部の下端は、前記フランジ部と前記形状変化点の間に存在する、
容器である。
【００２９】
本発明の容器は、
射出成形する前において、
ラベルの側辺は、上側辺と下側辺からなり、
前記上側辺と前記下側辺は、側辺境界点で連続し、
容器の垂直断面において、
上記側辺境界点は、形状変化点よりも下方に存在する、
上述に記載の容器である。
【００３０】
本発明のラベルは、
射出成形体からなる容器に用いられる、ラベルであり、
前記容器は、底部と、
前記底部の周辺から上方に形成された壁部と、
前記壁部の上方に形成されたフランジ部を有し、
前記壁部は、外側に前記ラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、凹状部を有し、
前記凹状部の下端は、前記フランジ部と前記形状変化点の間に存在する、
ラベルである。
【００３１】
本発明のラベルは、
射出成形する前において、
ラベルの側辺は、上側辺と下側辺からなり、
前記上側辺と前記下側辺は、側辺境界点で連続し、
容器の垂直断面において、
上記側辺境界点は、形状変化点よりも下方に存在する
上述に記載のラベルである。
【００３２】
本発明の容器について説明する。
【００３３】
図１は、容器及びラベルにかかる第１の発明を実施するための形態を示す斜視図である。
図２は、容器及びラベルにかかる第１の発明を実施するための形態を示す正面図である。
図３は、容器及びラベルにかかる第１の発明を実施するための形態を示す背面図である。
図４は、容器及びラベルにかかる第１の発明を実施するための形態を示す平面図である。
図５は、容器及びラベルにかかる第１の発明を実施するための形態を示す底面図である。
図６は、容器及びラベルにかかる第１の発明を実施するための形態を示すＡ−Ａ断面図である。
【００３４】
ここで、図１に示すように、Ｘ軸及びＹ軸を通る平面に対し、平行な方向を「水平方向」と定義する。また、Ｚ軸に平行な方向を「垂直方向」と定義する。
【００３５】
本発明の容器１は、射出成形体からなる容器である。
前記容器１は、底部２を有している。底部２は、円形の平板形状であり、所定の厚さを有している。
前記底部２の周辺から上方に、壁部３が形成されている。壁部３は、底部２から容器１の外側に傾斜して形成されている。
【００３６】
底部２と壁部３により、収容する物を保持する空間を形成している。
前記壁部３の上方にフランジ部４が形成されている。フランジ部４の形状は、同心円状の中抜き円板からなり、所定の厚さを有している。
フランジ部４の上には、蓋材（図示していない）が熱圧着され、収容する物を保持している。
【００３７】
前記壁部３は、外側にラベル１０を含んでいる。
本発明の容器１は、底部２と壁部３が接続する部分の下方に、糸足部５が形成されている。糸足部５は、底部２と壁部３が接続する部分において、円周状に形成されている。
本発明の容器１は、ラベル１０の上方に、凹状部１１が形成されている。
【００３８】
なお、図２に示す、容器１の垂直方向の高さＨ１の範囲については、後述する。
図３に示す、容器１の水平方向における、側辺間の幅Ｚ１の範囲については、後述する。
図４に示す、容器１の水平方向の最大径Ｄの範囲については、後述する。
図６に示す、容器１の断面の詳細については、後述する。
ラベル１０の詳細については、後述する。
ラベル１０の上方に形成された凹状部１１については、後述する。
フランジ部６の上に熱圧着する、蓋材については、後述する。
容器１に収容する物の例については、後述する。
本発明の容器の製造方法については、後述する。
【００３９】
本発明の容器の形状について説明する。
【００４０】
図４に示す、容器１の水平方向の最大径Ｄの範囲について、説明する。
最大径Ｄは５０．０〜１１０．０ｍｍの範囲内にあることが好ましい。また、最大径Ｄは６６．０〜９５．０ｍｍの範囲内にあることがさらに好ましい。
【００４１】
最大径Ｄが５０．０ｍｍ以上であると、容器に収容する物を充填するにあたって、一般的な自動充填機を採用することができる、という利点がある。最大径Ｄが６６．０ｍｍ以上であると、この効果がより顕著になる。
【００４２】
最大径Ｄが１１０．０ｍｍ以下であると、容器に収容する物を充填するにあたって、一般的な自動充填機を採用することができる、という利点がある。最大径Ｄが９５．０ｍｍ以下であると、この効果がより顕著になる。
【００４３】
なお、上述の最大径Ｄの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００４４】
ここで、「容器の水平方向の最大径Ｄ」を次のように定義する。すなわち、水平方向にある平行な２本の直線（以下、「平行線」という。）を考える。任意な方向にあるこの平行線で、平面図において容器を挟んだとき、平行線の距離を容器の径とする。そして、あらゆる方向の平行線により容器の径を計測し、その径の値のうち最大の値を「容器の水平方向の最大径Ｄ」と定義する。
【００４５】
図７は、容器にかかる発明を実施するための形態を示す容器拡大断面図である。また、図８は、容器にかかる発明を実施するための形態を示す容器拡大断面図である。
ここで、容器の形状とは、ラベル１０を含めた容器全体の形状とする。なお、図７、図８においては、ラベル１０の表示を省略してある。
【００４６】
容器１の垂直断面において、説明する。
壁部３の外面とフランジ部４の下面との交点を、点ｂとする。
壁部３の外面には、形状変化点ｃが存在する。ここで、形状変化点ｃとは、壁部３の外面において、上方の形状と下方の形状が変化する点である。
【００４７】
壁部３の領域のうち、点bから形状変化点ｃまでの領域を曲線部２０とする。点bの下から形状変化点ｃより上の曲線部２０では、前記壁部３の外面は、円弧の形状を有している。前記形状変化点ｃより下では、前記壁部の外面は、直線の形状を有している。形状変化点ｃにおいては、前記円弧と前記直線が滑らかに接続している。
【００４８】
前記壁部３の外面には、直線部境界点dが存在する。ここで、直線部境界点dとは、前記壁部３の外面において、上方の直線と下方の直線が接続する点である。
前記壁部３の外面において、形状変化点ｃと直線部境界点dの間の直線の領域を上直線部２１とする。
【００４９】
壁部３の外面において、糸足部５の下端を点hとする。前記壁部３の外面において、直線部境界点dと点hの間の直線の領域を下直線部２２とする。
点ｃから、上直線部２１の外面を上方に延長する。この延長線と、フランジ部４の下面の延長線との交点を点ｏとする。
【００５０】
容器１の高さＨ１は５０．０〜１２０．０ｍｍの範囲内にあることが好ましい。また、高さＨ１は５３．０〜７０．０ｍｍの範囲内にあることがさらに好ましい。
【００５１】
高さＨ１が５０．０ｍｍ以上であると、容器に収容する物を充填するにあたって、一般的な自動充填機を採用することができる、という利点がある。高さＨ１が５３．０ｍｍ以上であると、この効果がより顕著になる。
【００５２】
高さＨ１が１２０．０ｍｍ以下であると、容器に収容する物を充填するにあたって、一般的な自動充填機を採用することができる、という利点がある。高さＨ１が７０．０ｍｍ以下であると、この効果がより顕著になる。
【００５３】
なお、上述の高さＨ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００５４】
フランジ部４の厚さＨ２は０．７〜１．５ｍｍの範囲内にあることが好ましい。また、厚さＨ２は０．８〜１．２ｍｍの範囲内にあることがさらに好ましい。
【００５５】
厚さＨ２が０．７ｍｍ以上であると、フランジ部及び容器の剛性が大きくなることから、蓋材をフランジ部から剥がし易くなる、という利点がある。厚さＨ２が０．８ｍｍ以上であると、この効果がより顕著になる。
【００５６】
厚さＨ２が１．５ｍｍ以下であると、容器を射出成形した後、冷却にともなうフランジ部の変形を抑制できる、という利点がある。厚さＨ２が１．２ｍｍ以下であると、この効果がより顕著になる。
【００５７】
なお、上述の厚さＨ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００５８】
曲線部２０の垂直方向の距離Ｈ３は１６．０〜３３．０ｍｍの範囲内にあることが好ましい。また、距離Ｈ３は２０．０〜３０．０ｍｍの範囲内にあることがさらに好ましい。
【００５９】
距離Ｈ３が１６．０ｍｍ以上であると、射出成形により容器を製造する場合、容器を金型から離型するのが容易になる、という利点がある。距離Ｈ３が２０．０ｍｍ以上であると、この効果がより顕著になる。
【００６０】
距離Ｈ３が３３．０ｍｍ以下であると、容器上部の曲面部が視覚的に際立ち、容器全体の美観性が向上する、という利点がある。距離Ｈ３が３０．０ｍｍ以下であると、この効果がより顕著になる。
【００６１】
なお、上述の距離Ｈ３の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００６２】
上直線部２１の垂直方向の距離Ｈ４は２５．０〜８０．０ｍｍの範囲内にあることが好ましい。また、距離Ｈ４は２８．０〜６０．０ｍｍの範囲内にあることがさらに好ましい。
【００６３】
距離Ｈ４が２５．０ｍｍ以上であると、容器上部の曲面部が視覚的に際立ち、容器全体の美観性が向上する、という利点がある。距離Ｈ４が２８．０ｍｍ以上であると、この効果がより顕著になる。
【００６４】
距離Ｈ４が８０．０ｍｍ以下であると、射出成形により容器を製造する場合、容器を金型から離型するのが容易になる、という利点がある。距離Ｈ４が６０．０ｍｍ以下であると、この効果がより顕著になる。
【００６５】
なお、上述の距離Ｈ４の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００６６】
下直線部２２の垂直方向の距離Ｈ５は３．０〜１０．５ｍｍの範囲内にあることが好ましい。また、距離Ｈ５は４．０〜９．０ｍｍの範囲内にあることがさらに好ましい。
【００６７】
距離Ｈ５が３．０ｍｍ以上であると、糸足部の下端の直径が大きくなるので、容器を水平面に置いたとき、転倒しにくくなり安定性が良くなる、という利点がある。距離Ｈ５が４．０ｍｍ以上であると、この効果がより顕著になる。
【００６８】
距離Ｈ５が１０．５ｍｍ以下であると、２つの容器を重ねたとき、上の容器の糸足部の下端と、下の容器の壁部の内面とのクリアランスが大きくなるので、２つの容器の着脱が容易になる、という利点がある。距離Ｈ５が９．０ｍｍ以下であると、この効果がより顕著になる。
【００６９】
なお、上述の距離Ｈ５の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００７０】
なお、下の式が成立する。
Ｈ１＝Ｈ２＋Ｈ３＋Ｈ４＋Ｈ５
【００７１】
容器１の垂直方向の中心線を中心軸６とする。
中心軸６からフランジ部４の外面までの半径Ｒ１は２５．０〜５５．０ｍｍの範囲内にあることが好ましい。また、半径Ｒ１は３３．０〜４７．５ｍｍの範囲内にあることがさらに好ましい。
【００７２】
半径Ｒ１が２５．０ｍｍ以上であると、容器に収容する物を充填するにあたって、一般的な自動充填機を採用することができる、という利点がある。半径Ｒ１が３３．０ｍｍ以上であると、この効果がより顕著になる。
【００７３】
半径Ｒ１が５５．０ｍｍ以下であると、容器に収容する物を充填するにあたって、一般的な自動充填機を採用することができる、という利点がある。半径Ｒ１が４７．５ｍｍ以下であると、この効果がより顕著になる。
【００７４】
なお、上述の半径Ｒ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００７５】
中心軸６から点ｂまでの半径Ｒ２は２７．０〜４１．０ｍｍの範囲内にあることが好ましい。また、半径Ｒ２は３１．０〜４０．７５ｍｍの範囲内にあることがさらに好ましい。
【００７６】
半径Ｒ２が２７．０ｍｍ以上であると、容器に収容する物を充填するにあたって、一般的な自動充填機を採用することができる、という利点がある。半径Ｒ２が３１．０ｍｍ以上であると、この効果がより顕著になる。
【００７７】
半径Ｒ２が４１．０ｍｍ以下であると、容器に収容する物を充填するにあたって、一般的な自動充填機を採用することができる、という利点がある。半径Ｒ２が４０．７５ｍｍ以下であると、この効果がより顕著になる。
【００７８】
なお、上述の半径Ｒ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００７９】
中心軸６から点ｃまでの半径Ｒ３は２１．５〜３８．０ｍｍの範囲内にあることが好ましい。また、半径Ｒ３は２７．０〜３６．０ｍｍの範囲内にあることがさらに好ましい。
【００８０】
半径Ｒ３が２１．５ｍｍ以上であると、射出成形により容器を製造する場合、容器を金型から離型するのが容易になる、という利点がある。半径Ｒ３が２７．０ｍｍ以上であると、この効果がより顕著になる。
【００８１】
半径Ｒ３が３８．０ｍｍ以下であると、容器上部の曲面部が視覚的に際立ち、容器全体の美観性が向上する、という利点がある。半径Ｒ３が３６．０ｍｍ以下であると、この効果がより顕著になる。
【００８２】
なお、上述の半径Ｒ３の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００８３】
中心軸６から点ｄまでの半径Ｒ４は２０．０〜３５．０ｍｍの範囲内にあることが好ましい。また、半径Ｒ４は２３．０〜２５．０ｍｍの範囲内にあることがさらに好ましい。
【００８４】
半径Ｒ４が２０．０ｍｍ以上であると、糸足部の下端の直径が大きくなるので、容器を水平面に置いたとき、転倒しにくくなり安定性が良くなる、という利点がある。半径Ｒ４が２３．０ｍｍ以上であると、この効果がより顕著になる。
【００８５】
半径Ｒ４が３５．０ｍｍ以下であると、２つの容器を重ねたとき、上の容器の壁部の外面と、下の容器の壁部の内面とのクリアランスが大きくなるので、２つの容器の着脱が容易になる、という利点がある。半径Ｒ４が２５．０ｍｍ以下であると、この効果がより顕著になる。
【００８６】
なお、上述の半径Ｒ４の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００８７】
中心軸６から点ｈまでの半径Ｒ５は１９．０〜３４．０ｍｍの範囲内にあることが好ましい。また、半径Ｒ５は２２．０〜３３．０ｍｍの範囲内にあることがさらに好ましい。
【００８８】
半径Ｒ５が１９．０ｍｍ以上であると、糸足部の下端の直径が大きくなるので、容器を水平面に置いたとき、転倒しにくくなり安定性が良くなる、という利点がある。半径Ｒ５が２２．０ｍｍ以上であると、この効果がより顕著になる。
【００８９】
半径Ｒ５が３４．０ｍｍ以下であると、２つの容器を重ねたとき、上の容器の糸足部の下端と、下の容器の壁部の内面とのクリアランスが大きくなるので、２つの容器の着脱が容易になる、という利点がある。半径Ｒ５が３３．０ｍｍ以下であると、この効果がより顕著になる。
【００９０】
なお、上述の半径Ｒ５の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００９１】
曲線部２０の外面の円弧の半径Ｒ６は６０．０〜１６０．０ｍｍの範囲内にあることが好ましい。また、半径Ｒ６は９０．０〜１３０．０ｍｍの範囲内にあることがさらに好ましい。
【００９２】
半径Ｒ６が６０．０ｍｍ以上であると、射出成形により容器を製造する場合、容器を金型から離型するのが容易になる、という利点がある。半径Ｒ６が９０．０ｍｍ以上であると、この効果がより顕著になる。
【００９３】
半径Ｒ６が１６０．０ｍｍ以下であると、容器上部の曲面部が視覚的に際立ち、容器全体の美観性が向上する、という利点がある。半径Ｒ６が１３０．０ｍｍ以下であると、この効果がより顕著になる。
【００９４】
なお、上述の半径Ｒ６の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００９５】
フランジ部４の外面から点ｂまでの幅Ｗ１は２．０〜９．０ｍｍの範囲内にあることが好ましい。また、幅Ｗ１は２．５〜５．０ｍｍの範囲内にあることがさらに好ましい。
【００９６】
幅Ｗ１が２．０ｍｍ以上であると、フランジ部と蓋材との接着面積が大きくなるので、容器のシール性が良好になる、という利点がある。幅Ｗ１が２．５ｍｍ以上であると、この効果がより顕著になる。
【００９７】
幅Ｗ１が９．０ｍｍ以下であると、容器を射出成形により製造するとき、固定側の金型と可動側金型の間に形成された空間において、フランジ部の外側の末端まで溶融樹脂を到達させることができる、という利点がある。幅Ｗ１が５．０ｍｍ以下であると、この効果がより顕著になる。
【００９８】
なお、上述の幅Ｗ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【００９９】
点ｏから点ｂまでの距離を、曲線部２０の湾曲の幅Ｗ２とする。
曲線部２０の湾曲の幅Ｗ２は０．５〜３．５ｍｍの範囲内にあることが好ましい。また、幅Ｗ２は１．０〜３．０ｍｍの範囲内にあることがさらに好ましい。
【０１００】
幅Ｗ２が０．５ｍｍ以上であると、容器上部の曲面部が視覚的に際立ち、容器全体の美観性が向上する、という利点がある。幅Ｗ２が１．０ｍｍ以上であると、この効果がより顕著になる。
【０１０１】
幅Ｗ２が３．５ｍｍ以下であると、射出成形により容器を製造する場合、容器を金型から離型するのが容易になる、という利点がある。幅Ｗ２が３．０ｍｍ以下であると、この効果がより顕著になる。
【０１０２】
なお、上述の幅Ｗ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１０３】
壁部３の厚さＴ１は０．３〜０．９ｍｍの範囲内にあることが好ましい。また、厚さＴ１は０．４〜０．７ｍｍの範囲内にあることがさらに好ましい。
【０１０４】
厚さＴ１が０．３ｍｍ以上であると、容器を射出成形により製造するとき、固定側の金型と可動側金型の間に形成された空間において、壁部における溶融樹脂の流動性を良好にすることができる、という利点がある。厚さＴ１が０．４ｍｍ以上であると、この効果がより顕著になる。
【０１０５】
厚さＴ１が０．９ｍｍ以下であると、２つの容器を重ねたとき、上の容器の壁部の外面と、下の容器の壁部の内面とのクリアランスが大きくなるので、２つの容器の着脱が容易になる、という利点がある。厚さＴ１が０．７ｍｍ以下であると、この効果がより顕著になる。
【０１０６】
なお、上述の厚さＴ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１０７】
垂線に対する上直線部２１の外面の傾きを示す角度αは３．０〜７．０°の範囲内にあることが好ましい。また、角度αは４．０〜６．０°の範囲内にあることがさらに好ましい。
【０１０８】
角度αが３．０°以上であると、２つの容器を重ねたとき、上の容器の壁部の外面と、下の容器の壁部の内面とのクリアランスが大きくなるので、２つの容器の着脱が容易になる、という利点がある。角度αが４．０°以上であると、この効果がより顕著になる。
【０１０９】
角度αが７．０°以下であると、糸足部の下端の直径が大きくなるので、容器を水平面に置いたとき、転倒しにくくなり安定性が良くなる、という利点がある。角度αが６．０°以下であると、この効果がより顕著になる。
【０１１０】
なお、上述の角度αの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１１１】
垂線に対する下直線部２２の外面の傾きを示す角度βは２．０〜６．０°の範囲内にあることが好ましい。また、角度βは２．５〜５．５°の範囲内にあることがさらに好ましい。
【０１１２】
角度βが２．０°以上であると、２つの容器を重ねたとき、上の容器の糸足部の下端と、下の容器の壁部の内面とのクリアランスが大きくなるので、２つの容器の着脱が容易になる、という利点がある。角度βが２．５°以上であると、この効果がより顕著になる。
【０１１３】
角度βが６．０°以下であると、糸足部の下端の直径が大きくなるので、容器を水平面に置いたとき、転倒しにくくなり安定性が良くなる、という利点がある。角度βが５．５°以下であると、この効果がより顕著になる。
【０１１４】
なお、上述の角度βの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１１５】
本発明のラベルに関連する形状について説明する。
【０１１６】
図３に示す、容器１の水平方向における、側辺間の幅Ｚ１は０．１〜２．０ｍｍの範囲内にあることが好ましい。また、幅Ｚ１は０．８〜１．５ｍｍの範囲内にあることがさらに好ましい。
【０１１７】
幅Ｚ１が０．１ｍｍ以上であると、容器を射出成形により製造する場合、ラベルの側辺同士が重なるのを防止できる、という利点がある。幅Ｚ１が０．８ｍｍ以上であると、この効果がより顕著になる。
【０１１８】
幅Ｚ１が２．０ｍｍ以下であると、ラベルの加飾範囲を広くすることができる、という利点がある。幅Ｚ１が１．５ｍｍ以下であると、この効果がより顕著になる。
【０１１９】
なお、上述の幅Ｚ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１２０】
図９は、容器及びラベルにかかる第１の発明を実施するための形態を示すＡ−Ａ拡大断面図である。
フランジ部４の下面において、ラベル１０の下面の先端を点ａとする。
壁部３の外面において、ラベル１０の外面に側辺境界点ｉが存在する。この側辺境界点ｉについては、後述する。
壁部３の外面において、ラベル１０の外面の下端を点ｅとする。
【０１２１】
点ａと点ｂとの距離Ｌ１は０．１〜１．５ｍｍの範囲内にあることが好ましい。また、距離Ｌ１は０．５〜１．０ｍｍの範囲内にあることがさらに好ましい。
【０１２２】
距離Ｌ１が０．１ｍｍ以上であると、フランジ部の裏側にも、加飾範囲を確保することができる、という利点がある。距離Ｌ１が０．５ｍｍ以上であると、この効果がより顕著になる。
【０１２３】
距離Ｌ１が１．５ｍｍ以下であると、フランジ部において、ラベルが存在する部分と存在しない部分の混在に起因する、フランジ部の表面の変形を抑制することができる、という利点がある。距離Ｌ１が１．０ｍｍ以下であると、この効果がより顕著になる。
【０１２４】
なお、上述の距離Ｌ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１２５】
点ｂと形状変化点ｃを通る円弧の距離Ｌ２は１６．５〜３３．５ｍｍの範囲内にあることが好ましい。また、距離Ｌ２は２０．０〜３０．０ｍｍの範囲内にあることがさらに好ましい。
【０１２６】
距離Ｌ２が１６．５ｍｍ以上であると、射出成形により容器を製造する場合、容器を金型から離型するのが容易になる、という利点がある。距離Ｌ２が２０．０ｍｍ以上であると、この効果がより顕著になる。
【０１２７】
距離Ｌ２が３３．５ｍｍ以下であると、容器上部の曲面部が視覚的に際立ち、容器全体の美観性が向上する、という利点がある。距離Ｌ２が３０．０ｍｍ以下であると、この効果がより顕著になる。
【０１２８】
なお、上述の距離Ｌ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１２９】
形状変化点ｃと直線部境界点ｄとの距離Ｌ３は２５．０〜８０．０ｍｍの範囲内にあることが好ましい。また、距離Ｌ３は２８．０〜６０．０ｍｍの範囲内にあることがさらに好ましい。
【０１３０】
距離Ｌ３が２５．０ｍｍ以上であると、容器上部の曲面部が視覚的に際立ち、容器全体の美観性が向上する、という利点がある。距離Ｌ３が２８．０ｍｍ以上であると、この効果がより顕著になる。
【０１３１】
距離Ｌ３が８０．０ｍｍ以下であると、射出成形により容器を製造する場合、容器を金型から離型するのが容易になる、という利点がある。距離Ｌ３が６０．０ｍｍ以下であると、この効果がより顕著になる。
【０１３２】
なお、上述の距離Ｌ３の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１３３】
直線部境界点ｄと点ｅとの距離Ｌ４は１．０〜１０．５ｍｍの範囲内にあることが好ましい。また、距離Ｌ４は３．０〜８．０ｍｍの範囲内にあることがさらに好ましい。
【０１３４】
距離Ｌ４が１．０ｍｍ以上であると、容器を射出成形により製造するとき、固定側の金型と可動側金型の間に形成された空間において、底部の中心から外側に流動する溶融樹脂が、ラベルを壁部の外側に押し付けるので、溶融樹脂がラベルの外側と壁部の外側の間に流入するのを防止でき、容器の製品としての品質を向上させることができる、という利点がある。距離Ｌ４が３．０ｍｍ以上であると、この効果がより顕著になる。
【０１３５】
距離Ｌ４が１０．５ｍｍ以下であると、容器を射出成形により製造するとき、ラベルの下端が固定側の金型の底に接触しないので、糸足部にしわが発生するのを防止できる、という利点がある。距離Ｌ４が８．０ｍｍ以下であると、この効果がより顕著になる。
【０１３６】
なお、上述の距離Ｌ４の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１３７】
点ｅと点ｈとの距離Ｌ５は０．１〜３．０ｍｍの範囲内にあることが好ましい。また、距離Ｌ５は１．０〜２．５ｍｍの範囲内にあることがさらに好ましい。
【０１３８】
距離Ｌ５が０．１ｍｍ以上であると、容器を射出成形により製造するとき、ラベルの下端が固定側の金型の底に接触しないので、糸足部にしわが発生するのを防止できる、という利点がある。距離Ｌ５が１．０ｍｍ以上であると、この効果がより顕著になる。
【０１３９】
距離Ｌ５が３．０ｍｍ以下であると、容器の側面の加飾範囲を広くすることができる、という利点がある。距離Ｌ５が２．５ｍｍ以下であると、この効果がより顕著になる。
【０１４０】
なお、上述の距離Ｌ５の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１４１】
ラベル１０の厚さＴ２は０．０５〜０．１１ｍｍの範囲内にあることが好ましい。また、厚さＴ２は０．０５〜０．０７ｍｍの範囲内にあることがさらに好ましい。
【０１４２】
厚さＴ２が０．０５ｍｍ以上であると、ラベルの剛性が大きくなるので、ラベルの搬送中において、ラベルが折れ曲がる変形を防止できる、という利点がある。
【０１４３】
厚さＴ２が０．１１ｍｍ以下であると、容器を射出成形により製造するとき、壁部における、溶融樹脂の流動断面積を大きくすることができるので、溶融樹脂の流動性を向上させることができる、という利点がある。厚さＴ２が０．０７ｍｍ以下であると、この効果がより顕著になる。
【０１４４】
なお、上述の厚さＴ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１４５】
中心軸６から点ｅまでの半径Ｒ７は１９．０〜３４．０ｍｍの範囲内にあることが好ましい。また、半径Ｒ７は２２．０〜３３．０ｍｍの範囲内にあることがさらに好ましい。
【０１４６】
半径Ｒ７が１９．０ｍｍ以上であると、糸足部の下端の直径が大きくなるので、容器を水平面に置いたとき、転倒しにくくなり安定性が良くなる、という利点がある。半径Ｒ７が２２．０ｍｍ以上であると、この効果がより顕著になる。
【０１４７】
半径Ｒ７が３４．０ｍｍ以下であると、２つの容器を重ねたとき、上の容器の糸足部の下端と、下の容器の壁部の内面とのクリアランスが大きくなるので、２つの容器の着脱が容易になる、という利点がある。半径Ｒ７が３３．０ｍｍ以下であると、この効果がより顕著になる。
【０１４８】
なお、上述の半径Ｒ７の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１４９】
中心軸６から側辺境界点ｉまでの半径Ｒ１２は２０．０〜３７．０ｍｍの範囲内にあることが好ましい。また、半径Ｒ１２は２５．５〜３５．０ｍｍの範囲内にあることがさらに好ましい。
【０１５０】
半径Ｒ１２が２０．０ｍｍ以上であると、容器において、ラベルの側辺同士が平行に近づく、という利点がある。半径Ｒ１２が２５．５ｍｍ以上であると、この効果がより顕著になる。
【０１５１】
半径Ｒ１２が３７．０ｍｍ以下であると、容器において、ラベルの側辺同士が平行に近づく、という利点がある。半径Ｒ１２が３５．０ｍｍ以下であると、この効果がより顕著になる。
【０１５２】
なお、上述の半径Ｒ１２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１５３】
図１０は、容器及びラベルにかかる第１の発明を実施するための形態を示すＢ−Ｂ拡大断面図である。
壁部３の外面において、ラベル１０の外面に凹状部の下端fが存在する。前記凹状部の下端fは、前記フランジ部４と前記形状変化点ｃの間に存在する。この凹状部の下端fについては、後述する。
【０１５４】
点ｂと凹状部の下端fを通る円弧の距離Ｌ６は９．０〜１５．０ｍｍの範囲内にあることが好ましい。また、距離Ｌ６は１０．０〜１３．０ｍｍの範囲内にあることがさらに好ましい。
【０１５５】
距離Ｌ６が９．０ｍｍ以上であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。距離Ｌ６が１０．０ｍｍ以上であると、この効果がより顕著になる。
【０１５６】
距離Ｌ６が１５．０ｍｍ以下であると、ラベルの加飾範囲を広くすることができる、という利点がある。距離Ｌ６が１３．０ｍｍ以下であると、この効果がより顕著になる。
【０１５７】
なお、上述の距離Ｌ６の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１５８】
凹状部の下端fと形状変化点ｃを通る円弧の距離Ｌ７は６．５〜２４．５ｍｍの範囲内にあることが好ましい。また、距離Ｌ７は８．５〜１５．０ｍｍの範囲内にあることがさらに好ましい。
【０１５９】
距離Ｌ７が６．５ｍｍ以上であると、ラベルの加飾範囲を広くすることができる、という利点がある。距離Ｌ７が８．５ｍｍ以上であると、この効果がより顕著になる。
【０１６０】
距離Ｌ７が２４．５ｍｍ以下であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。距離Ｌ７が１５．０ｍｍ以下であると、この効果がより顕著になる。
【０１６１】
なお、上述の距離Ｌ７の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１６２】
なお、以下の式が成立する。
Ｌ２＝Ｌ６＋Ｌ７
【０１６３】
中心軸６から凹状部の下端fまでの半径Ｒ１１は２４．０〜３９．０ｍｍの範囲内にあることが好ましい。また、半径Ｒ１１は２７．０〜３７．０ｍｍの範囲内にあることがさらに好ましい。
【０１６４】
半径Ｒ１１が２４．０ｍｍ以上であると、ラベルの加飾範囲を広くすることができる、という利点がある。半径Ｒ１１が２７．０ｍｍ以上であると、この効果がより顕著になる。
【０１６５】
半径Ｒ１１が３９．０ｍｍ以下であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。半径Ｒ１１が３７．０ｍｍ以下であると、この効果がより顕著になる。
【０１６６】
なお、上述の半径Ｒ１１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１６７】
図９，１０に示すように、容器１の垂直断面において、上記側辺境界点ｉは、形状変化点ｃよりも下方に存在する
【０１６８】
図１１は、第１の発明を実施するための形態の容器に用いられるラベルであり、このラベルを展開した場合の展開図である。図１２は、図１１のラベルの部分拡大図である。図１３は、図１１のラベルの凹状部を示す展開図である。
【０１６９】
ここでは、ラベル１０の形状について説明する。このラベル１０は、射出成形体からなる容器１に用いられる、ラベルである。また、このラベル１０の形状は、容器を射出成形する前における形状である。
【０１７０】
円弧ａ，円弧ｂ，円弧ｆ，円弧ｃ，円弧ｉ，円弧ｄ，及び円弧ｅについて説明する。
円弧ａは、点ａにより形成される円弧である。円弧ａは、凸状部１２にのみ存在する。また、円弧ａは、点ｖ１，点ａ１，点ａ２，点ｖ２を通過する。なお、点ｖ１，点ａ１，点ａ２，点ｖ２については、後述する。
【０１７１】
円弧ｂは、点ｂにより形成される円弧である。円弧ｂは、凸状部１２にのみ存在する。また、円弧ｂは、点ｂ１，点ｂ２を通過する。なお、点ｂ１，点ｂ２については、後述する。
【０１７２】
円弧ｆは、凹状部１１の下端を通る円弧である。また、円弧ｆは、点ｌ１，点ｆ１，点ｆ２，点ｌ２を通過する。なお、点ｌ１，点ｆ１，点ｆ２，点ｌ２については、後述する。
【０１７３】
円弧ｃは、形状変化点により形成される円弧である。また、円弧ｃは、点ｃ１，点ｊ１，点ｊ２，点ｃ２を通過する。なお、点ｃ１，点ｊ１，点ｊ２，点ｃ２については、後述する。
【０１７４】
円弧ｉは、側辺境界点により形成される円弧である。また、円弧ｉは、点ｉ１，点ｉ２を通過する。なお、点ｉ１，点ｉ２については、後述する。
円弧ｄは、直線部境界点により形成される円弧である。また、円弧ｄは、点ｄ１，点ｄ２を通過する。なお、点ｄ１，点ｄ２については、後述する。
【０１７５】
円弧ｅは、点ｅにより形成される円弧である。また、円弧ｅは、点ｍ１，点ｅ１，点ｅ２，点ｍ２を通過する。なお、点ｍ１，点ｅ１，点ｅ２，点ｍ２については、後述する。
【０１７６】
なお、円弧ａ，円弧ｂ，円弧ｆ，円弧ｃ，円弧ｉ，円弧ｄ，及び円弧ｅを形成するそれぞれの円は、同心円である。
【０１７７】
図１１，１２において、点線で表示したラベルの側辺（以下、「点線表示の側辺」とする。）について説明する。この点線表示の側辺の形状は、容器１の外径に基づき計算した側辺の形状である。
点線表示の側辺は、点ｖ１，点ｌ１，点ｊ１，点ｉ１，点ｍ１を通過する。ここで、点ｖ１，点ｌ１，点ｊ１は直線上にある。また、点ｊ１，点ｉ１，点ｍ１は直線上にある。
点線表示の側辺は、点ｖ２，点ｌ２，点ｊ２，点ｉ２，点ｍ２を通過する。ここで、点ｖ２，点ｌ２，点ｊ２は直線上にある。また、点ｊ２，点ｉ２，点ｍ２は直線上にある。
【０１７８】
図１１，１２において、実線で表示したラベルの側辺について説明する。この実線で表示したラベルの側辺の形状は、本発明の容器の製造に使用したラベルの側辺の形状である。以下、この実線で表示したラベルの側辺を、単に「ラベルの側辺」とする。
【０１７９】
ラベルの側辺１３は、点ａ１，点ｂ１，点ｆ１，点ｃ１，点ｉ１，点ｄ１，点ｅ１を通過する。ここで、点ａ１，点ｂ１，点ｆ１，点ｃ１，点ｉ１は直線上にある。また、点ｉ１，点ｄ１，点ｅ１は直線上にある。また、点ｉ１は、点線表示の側辺とラベルの側辺１３の交点である。
ラベルの側辺１３は、点ａ２，点ｂ２，点ｆ２，点ｃ２，点ｉ２，点ｄ２，点ｅ２を通過する。ここで、点ａ２，点ｂ２，点ｆ２，点ｃ２，点ｉ２は直線上にある。また、点ｉ２，点ｄ２，点ｅ２は直線上にある。また、点ｉ２は、点線表示の側辺とラベルの側辺１３の交点である。
【０１８０】
ラベルの側辺１３は、上側辺１４と下側辺１５からなる。
ここで、上側辺１４とは、直線状にある点ａ１，点ｂ１，点ｆ１，点ｃ１，点ｉ１からなる側辺とする。また、上側辺１４とは、直線状にある点ａ２，点ｂ２，点ｆ２，点ｃ２，点ｉ２からなる側辺とする。
下側辺１５とは、直線状にある点ｉ１，点ｄ１，点ｅ１からなる側辺とする。また、下側辺１５とは、直線状にある点ｉ２，点ｄ２，点ｅ２からなる側辺とする。
【０１８１】
前記上側辺１４と前記下側辺１５は、側辺境界点ｉ１で連続している。また、前記上側辺１４と前記下側辺１５は、側辺境界点ｉ２で連続している。
【０１８２】
円弧ａと円弧ｅの半径方向の距離Ｌ８は４８．０〜１１８．０ｍｍの範囲内にあることが好ましい。また、距離Ｌ８は５５．０〜７５．０ｍｍの範囲内にあることがさらに好ましい。
【０１８３】
距離Ｌ８が４８．０ｍｍ以上であると、容器に収容する物を充填するにあたって、一般的な自動充填機を採用することができる、という利点がある。距離Ｌ８が５５．０ｍｍ以上であると、この効果がより顕著になる。
【０１８４】
距離Ｌ８が１１８．０ｍｍ以下であると、容器に収容する物を充填するにあたって、一般的な自動充填機を採用することができる、という利点がある。距離Ｌ８が７５．０ｍｍ以下であると、この効果がより顕著になる。
【０１８５】
なお、上述の距離Ｌ８の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１８６】
なお、以下の式が成立する。
Ｌ８＝Ｌ１＋Ｌ２＋Ｌ３＋Ｌ４
【０１８７】
円弧ｆと円弧ｉの半径方向の距離Ｌ１２は１０．５〜３５．０ｍｍの範囲内にあることが好ましい。また、距離Ｌ１２は２０．０〜２９．０ｍｍの範囲内にあることがさらに好ましい。
【０１８８】
距離Ｌ１２が１０．５ｍｍ以上であると、容器において、ラベルの側辺同士が平行に近づく、という利点がある。距離Ｌ１２が２０．０ｍｍ以上であると、この効果がより顕著になる。
【０１８９】
距離Ｌ１２が３５．０ｍｍ以下であると、容器において、ラベルの側辺同士が平行に近づく、という利点がある。距離Ｌ１２が２９．０ｍｍ以下であると、この効果がより顕著になる。
【０１９０】
なお、上述の距離Ｌ１２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１９１】
円弧ｃと円弧ｉの半径方向の距離Ｌ１３は０．５〜２５．０ｍｍの範囲内にあることが好ましい。また、距離Ｌ１３は１０．０〜１９．０ｍｍの範囲内にあることがさらに好ましい。
【０１９２】
距離Ｌ１３が０．５ｍｍ以上であると、容器において、ラベルの側辺同士が平行に近づく、という利点がある。距離Ｌ１３が１０．０ｍｍ以上であると、この効果がより顕著になる。
【０１９３】
距離Ｌ１３が２５．０ｍｍ以下であると、容器において、ラベルの側辺同士が平行に近づく、という利点がある。距離Ｌ１３が１９．０ｍｍ以下であると、この効果がより顕著になる。
【０１９４】
なお、上述の距離Ｌ１３の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０１９５】
前記ラベルの上辺１６は、Ｖ字型形状の凹状部１１を有している。
前記ラベルの上辺１６に、凹状部１１を形成する方法について説明する。Ｅ１個の凹状部１１を形成することを考える。上辺１６を（Ｅ１＋１）個に等分に分割する。この分割した点に凹状部１１を形成する。結果として、Ｅ１個の凹状部１１を形成することができる。
なお、上辺１６に凹状部１１を形成する方法は、上述の方法に限定されない。上辺１６に凹状部１１を形成する方法は、他の方法を採用することができる。
【０１９６】
凹状部１１の幅Ｋ１は１２．０〜２０．０ｍｍの範囲内にあることが好ましい。また、幅Ｋ１は１３．０〜１８．０ｍｍの範囲内にあることがさらに好ましい。
【０１９７】
幅Ｋ１が１２．０ｍｍ以上であると、ラベルに凹状部を形成するに際して、ラベルの加工が容易になる、という利点がある。幅Ｋ１が１３．０ｍｍ以上であると、この効果がより顕著になる。
【０１９８】
幅Ｋ１が２０．０ｍｍ以下であると、ラベルの加飾範囲を広くすることができる、という利点がある。幅Ｋ１が１８．０ｍｍ以下であると、この効果がより顕著になる。
【０１９９】
なお、上述の幅Ｋ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２００】
凹状部１１の深さＭ１は１０．０〜１５．０ｍｍの範囲内にあることが好ましい。また、深さＭ１は１１．０〜１３．０ｍｍの範囲内にあることがさらに好ましい。
【０２０１】
深さＭ１が１０．０ｍｍ以上であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。深さＭ１が１１．０ｍｍ以上であると、この効果がより顕著になる。
【０２０２】
深さＭ１が１５．０ｍｍ以下であると、ラベルの加飾範囲を広くすることができる、という利点がある。深さＭ１が１３．０ｍｍ以下であると、この効果がより顕著になる。
【０２０３】
なお、上述の深さＭ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２０４】
凹状部１１における、深さＭ１に対する幅Ｋ１の比率Ｋ１／Ｍ１は１．０〜１．７の範囲内にあることが好ましい。また、比率Ｋ１／Ｍ１は１．０〜１．５の範囲内にあることがさらに好ましい。
【０２０５】
比率Ｋ１／Ｍ１が１．０以上であると、ラベルに凹状部を形成するに際して、ラベルの加工が容易になる、という利点がある。
【０２０６】
比率Ｋ１／Ｍ１が１．７以下であると、ラベルの加飾範囲を広くすることができる、という利点がある。比率Ｋ１／Ｍ１が１．５以下であると、この効果がより顕著になる。
【０２０７】
なお、上述の比率Ｋ１／Ｍ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２０８】
凹状部の形状は、図１１，１３に示したＶ字型形状に限定されない。この他、凹状部の形状は、円弧の底を有する凹状部、多角形からなる凹状部等、直線または曲線を有する凹状部等を採用することができる。また、ラベルの上辺１６を切込み分割したものを採用することができる。
【０２０９】
凸状部１２の幅Ｎ１は１１．０〜２７．０ｍｍの範囲内にあることが好ましい。また、幅Ｎ１は１３．０〜１８．０ｍｍの範囲内にあることがさらに好ましい。
【０２１０】
幅Ｎ１が１１．０ｍｍ以上であると、ラベルの加飾範囲を広くすることができる、という利点がある。幅Ｎ１が１３．０ｍｍ以上であると、この効果がより顕著になる。
【０２１１】
幅Ｎ１が２７．０ｍｍ以下であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。幅Ｎ１が１８．０ｍｍ以下であると、この効果がより顕著になる。
【０２１２】
なお、上述の幅Ｎ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２１３】
点ｌ１と点ｌ２間の円弧の距離Ｕ１は１５０．０〜２４４．０ｍｍの範囲内にあることが好ましい。また、距離Ｕ１は１６８．０〜２３１．０ｍｍの範囲内にあることがさらに好ましい。
【０２１４】
距離Ｕ１が１５０．０ｍｍ以上であると、容器に収容する物を充填するにあたって、一般的な自動充填機を採用することができる、という利点がある。距離Ｕ１が１６８．０ｍｍ以上であると、この効果がより顕著になる。
【０２１５】
距離Ｕ１が２４４．０ｍｍ以下であると、容器に収容する物を充填するにあたって、一般的な自動充填機を採用することができる、という利点がある。距離Ｕ１が２３１．０ｍｍ以下であると、この効果がより顕著になる。
【０２１６】
なお、上述の距離Ｕ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２１７】
点ｆ１と点ｆ２間の円弧の距離Ｕ２は１４９．０〜２４３．０ｍｍの範囲内にあることが好ましい。また、距離Ｕ２は１６７．０〜２３０．０ｍｍの範囲内にあることがさらに好ましい。
【０２１８】
距離Ｕ２が１４９．０ｍｍ以上であると、容器に収容する物を充填するにあたって、一般的な自動充填機を採用することができる、という利点がある。距離Ｕ２が１６７．０ｍｍ以上であると、この効果がより顕著になる。
【０２１９】
距離Ｕ２が２４３．０ｍｍ以下であると、容器に収容する物を充填するにあたって、一般的な自動充填機を採用することができる、という利点がある。距離Ｕ２が２３０．０ｍｍ以下であると、この効果がより顕著になる。
【０２２０】
なお、上述の距離Ｕ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２２１】
点ｆ１と点ｌ１間の円弧の距離Ｘ１、及び点ｆ２と点ｌ２間の円弧の距離Ｘ１は０．１〜２．０ｍｍの範囲内にあることが好ましい。また、距離Ｘ１は０．３〜１．０ｍｍの範囲内にあることがさらに好ましい。
【０２２２】
距離Ｘ１が０．１ｍｍ以上であると、容器において、ラベルの側辺同士が平行に近づく、という利点がある。距離Ｘ１が０．３ｍｍ以上であると、この効果がより顕著になる。
【０２２３】
距離Ｘ１が２．０ｍｍ以下であると、容器において、ラベルの側辺同士が平行に近づく、という利点がある。距離Ｘ１が１．０ｍｍ以下であると、この効果がより顕著になる。
【０２２４】
なお、上述の距離Ｘ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２２５】
なお、以下の式が成立する。
Ｕ１＝Ｕ２＋２×Ｘ１
Ｕ２＝Ｕ１−２×Ｘ１
Ｕ１＝２π×Ｒ１１−Ｚ１
【０２２６】
点ｍ１と点ｍ２間の円弧の距離Ｕ３は１２０．０〜２１０．０ｍｍの範囲内にあることが好ましい。また、距離Ｕ３は１３５．０〜１８０．０ｍｍの範囲内にあることがさらに好ましい。
【０２２７】
距離Ｕ３が１２０．０ｍｍ以上であると、容器に収容する物を充填するにあたって、一般的な自動充填機を採用することができる、という利点がある。距離Ｕ３が１３５．０ｍｍ以上であると、この効果がより顕著になる。
【０２２８】
距離Ｕ３が２１０．０ｍｍ以下であると、容器に収容する物を充填するにあたって、一般的な自動充填機を採用することができる、という利点がある。距離Ｕ３が１８０．０ｍｍ以下であると、この効果がより顕著になる。
【０２２９】
なお、上述の距離Ｕ３の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２３０】
点ｅ１と点ｅ２間の円弧の距離Ｕ４は１１４．０〜２０９．０ｍｍの範囲内にあることが好ましい。また、距離Ｕ４は１２９．０〜１７９．０ｍｍの範囲内にあることがさらに好ましい。
【０２３１】
距離Ｕ４が１１４．０ｍｍ以上であると、容器に収容する物を充填するにあたって、一般的な自動充填機を採用することができる、という利点がある。距離Ｕ４が１２９．０ｍｍ以上であると、この効果がより顕著になる。
【０２３２】
距離Ｕ４が２０９．０ｍｍ以下であると、容器に収容する物を充填するにあたって、一般的な自動充填機を採用することができる、という利点がある。距離Ｕ４が１７９．０ｍｍ以下であると、この効果がより顕著になる。
【０２３３】
なお、上述の距離Ｕ４の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２３４】
点ｅ１と点ｍ１間の円弧の距離Ｘ２、及び点ｅ２と点ｍ２間の円弧の距離Ｘ２は０．１〜３．０ｍｍの範囲内にあることが好ましい。また、距離Ｘ２は０．３〜２．０ｍｍの範囲内にあることがさらに好ましい。
【０２３５】
距離Ｘ２が０．１ｍｍ以上であると、容器において、ラベルの側辺同士が平行に近づく、という利点がある。距離Ｘ２が０．３ｍｍ以上であると、この効果がより顕著になる。
【０２３６】
距離Ｘ２が３．０ｍｍ以下であると、容器において、ラベルの側辺同士が平行に近づく、という利点がある。距離Ｘ２が２．０ｍｍ以下であると、この効果がより顕著になる。
【０２３７】
なお、上述の距離Ｘ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２３８】
なお、以下の式が成立する。
Ｕ３＝Ｕ４＋２×Ｘ２
Ｕ４＝Ｕ３−２×Ｘ２
Ｕ３＝２π×Ｒ７−Ｚ１
【０２３９】
点Ｊ１と点Ｊ２間の円弧の距離Ｕ９は１３４．０〜２３８．０ｍｍの範囲内にあることが好ましい。また、距離Ｕ９は１６８．０〜２２５．０ｍｍの範囲内にあることがさらに好ましい。
【０２４０】
距離Ｕ９が１３４．０ｍｍ以上であると、射出成形により容器を製造する場合、容器を金型から離型するのが容易になる、という利点がある。距離Ｕ９が１６８．０ｍｍ以上であると、この効果がより顕著になる。
【０２４１】
距離Ｕ９が２３８．０ｍｍ以下であると、容器上部の曲面部が視覚的に際立ち、容器全体の美観性が向上する、という利点がある。距離Ｕ９が２２５．０ｍｍ以下であると、この効果がより顕著になる。
【０２４２】
なお、上述の距離Ｕ９の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２４３】
なお、以下の式が成立する。
Ｕ９＝２π×Ｒ３−Ｚ１
【０２４４】
点ｉ１と点ｉ２間の円弧の距離Ｕ１０は１２４．０〜２３１．０ｍｍの範囲内にあることが好ましい。また、距離Ｕ１０は１５９．０〜２１９．０ｍｍの範囲内にあることがさらに好ましい。
【０２４５】
距離Ｕ１０が１２４．０ｍｍ以上であると、容器において、ラベルの側辺同士が平行に近づく、という利点がある。距離Ｕ１０が１５９．０ｍｍ以上であると、この効果がより顕著になる。
【０２４６】
距離Ｕ１０が２３１．０ｍｍ以下であると、容器において、ラベルの側辺同士が平行に近づく、という利点がある。距離Ｕ１０が２１９．０ｍｍ以下であると、この効果がより顕著になる。
【０２４７】
なお、上述の距離Ｕ１０の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２４８】
なお、以下の式が成立する。
Ｕ１０＝２π×Ｒ１２−Ｚ１
【０２４９】
ラベルの上側辺１４と下側辺１５のなす角度θは１７５．０〜１８０．０°の範囲内にあることが好ましい。また、角度θは１７６．０〜１８０．０°の範囲内にあることがさらに好ましい。
【０２５０】
角度θが１７５．０°以上であると、容器において、ラベルの側辺同士が平行に近づく、という利点がある。角度θが１７６．０°以上であると、この効果がより顕著になる。
【０２５１】
角度θが１８０．０°以下であると、容器において、ラベルの側辺同士が平行に近づく、という利点がある。
【０２５２】
なお、上述の角度θの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２５３】
凹状部１１の個数Ｅ１は４〜７個の範囲内にあることが好ましい。また、個数Ｅ１は５〜６個の範囲内にあることがさらに好ましい。
【０２５４】
個数Ｅ１が４個以上であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。個数Ｅ１が５個以上であると、この効果がより顕著になる。
【０２５５】
個数Ｅ１が７個以下であると、ラベルの加飾範囲を広くすることができる、という利点がある。個数Ｅ１が６個以下であると、この効果がより顕著になる。
【０２５６】
なお、上述の個数Ｅ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２５７】
つぎに、容器及びラベルにかかる第２の発明を実施するための形態について説明する。
【０２５８】
本発明の容器は、
射出成形体からなる容器であり、
前記容器は、底部と、
前記底部の周辺から上方に形成された壁部と、
前記壁部の上方に形成されたフランジ部を有し、
前記壁部は、外側にラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、前記フランジ部と前記形状変化点の間に存在する、
容器である。
【０２５９】
本発明の容器は、
射出成形する前において、
ラベルの側辺は、上側辺と下側辺からなり、
前記上側辺と前記下側辺は、側辺境界点で連続し、
容器の垂直断面において、
上記側辺境界点は、形状変化点よりも下方に存在する、
上述に記載の容器である。
【０２６０】
本発明のラベルは、
射出成形体からなる容器に用いられる、ラベルであり、
前記容器は、底部と、
前記底部の周辺から上方に形成された壁部と、
前記壁部の上方に形成されたフランジ部を有し、
前記壁部は、外側に前記ラベルを含み、
前記容器の垂直断面において、
前記壁部の外面には、形状変化点が存在し、
前記形状変化点より上では、前記壁部の外面は、円弧の形状を有し、
前記形状変化点より下では、前記壁部の外面は、直線の形状を有し、
前記ラベルの上辺は、前記フランジ部と前記形状変化点の間に存在する、
ラベルである。
【０２６１】
本発明のラベルは、
射出成形する前において、
ラベルの側辺は、上側辺と下側辺からなり、
前記上側辺と前記下側辺は、側辺境界点で連続し、
容器の垂直断面において、
上記側辺境界点は、形状変化点よりも下方に存在する
上述に記載のラベルである。
【０２６２】
本発明の容器について説明する。
【０２６３】
図１４は、容器及びラベルにかかる第２の発明を実施するための形態を示す斜視図である。
図１５は、容器及びラベルにかかる第２の発明を実施するための形態を示す正面図である。
図１６は、容器及びラベルにかかる第２の発明を実施するための形態を示す背面図である。
図１７は、容器及びラベルにかかる第２の発明を実施するための形態を示す平面図である。
図１８は、容器及びラベルにかかる第２の発明を実施するための形態を示す底面図である。
図１９は、容器及びラベルにかかる第２の発明を実施するための形態を示すＡ−Ａ断面図である。
【０２６４】
ここで、図１４に示すように、Ｘ軸及びＹ軸を通る平面に対し、平行な方向を「水平方向」と定義する。また、Ｚ軸に平行な方向を「垂直方向」と定義する。
【０２６５】
本発明の容器１は、射出成形体からなる容器である。
前記容器１は、底部２を有している。底部２は、円形の平板形状であり、所定の厚さを有している。
前記底部２の周辺から上方に、壁部３が形成されている。壁部３は、底部２から容器１の外側に傾斜して形成されている。
【０２６６】
底部２と壁部３により、収容する物を保持する空間を形成している。
前記壁部３の上方にフランジ部４が形成されている。フランジ部４の形状は、同心円状の中抜き円板からなり、所定の厚さを有している。
フランジ部４の上には、蓋材（図示していない）が熱圧着され、収容する物を保持している。
【０２６７】
前記壁部３は、外側にラベル１０を含んでいる。
本発明の容器１は、底部２と壁部３が接続する部分の下方に、糸足部５が形成されている。糸足部５は、底部２と壁部３が接続する部分において、円周状に形成されている。
【０２６８】
なお、図１５に示す、容器１の垂直方向の高さＨ１の範囲は、第１の発明を実施するための形態における容器１の垂直方向の高さＨ１の範囲と同様である。
図１６に示す、容器１の水平方向における、側辺間の幅Ｚ２の範囲については、後述する。
図１７に示す、容器１の水平方向の最大径Ｄの範囲は、第１の発明を実施するための形態における容器１の水平方向の最大径Ｄの範囲と同様である。
図１９に示す、容器１の断面の詳細については、後述する。
ラベル１０の詳細については、後述する。
フランジ部６の上に熱圧着する、蓋材については、後述する。
容器１に収容する物の例については、後述する。
本発明の容器の製造方法については、後述する。
【０２６９】
本発明の容器の形状について説明する。
本発明の容器１の形状は、第１の発明を実施するための形態における容器１の形状と同様である。
【０２７０】
本発明のラベルに関連する形状について説明する。
【０２７１】
図１６に示す、容器１の水平方向における、側辺間の幅Ｚ２は０．１〜２．０ｍｍの範囲内にあることが好ましい。また、幅Ｚ２は０．８〜１．５ｍｍの範囲内にあることがさらに好ましい。
【０２７２】
幅Ｚ２が０．１ｍｍ以上であると、容器を射出成形により製造する場合、ラベルの側辺同士が重なるのを防止できる、という利点がある。幅Ｚ２が０．８ｍｍ以上であると、この効果がより顕著になる。
【０２７３】
幅Ｚ２が２．０ｍｍ以下であると、ラベルの加飾範囲を広くすることができる、という利点がある。幅Ｚ２が１．５ｍｍ以下であると、この効果がより顕著になる。
【０２７４】
なお、上述の幅Ｚ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２７５】
図２０は、容器及びラベルにかかる第２の発明を実施するための形態を示すＡ−Ａ拡大断面図である。
壁部３の外面において、ラベル１０の外面の先端を点ｇとする。この点ｇは、ラベルの上辺１６（図２１参照）と一致する。従って、ラベルの上辺１６は、フランジ部４と形状変化点ｃの間に存在する。点ｇについては、後述する。
壁部３の外面において、ラベル１０の外面に側辺境界点ｋが存在する。この側辺境界点ｋについては、後述する。
壁部３の外面において、ラベル１０の外面の下端を点ｑとする。
【０２７６】
点ｂと点ｇ間の円弧の距離Ｌ９は４．０〜１０．０ｍｍの範囲内にあることが好ましい。また、距離Ｌ９は４．５〜９．０ｍｍの範囲内にあることがさらに好ましい。
【０２７７】
距離Ｌ９が４．０ｍｍ以上であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。距離Ｌ９が４．５ｍｍ以上であると、この効果がより顕著になる。
【０２７８】
距離Ｌ９が１０．０ｍｍ以下であると、ラベルの加飾範囲を広くすることができる、という利点がある。距離Ｌ９が９．０ｍｍ以下であると、この効果がより顕著になる。
【０２７９】
なお、上述の距離Ｌ９の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２８０】
点ｇと形状変化点ｃ間の円弧の距離Ｌ１０は６．５〜２９．５ｍｍの範囲内にあることが好ましい。また、距離Ｌ１０は１３．５〜２０．０ｍｍの範囲内にあることがさらに好ましい。
【０２８１】
距離Ｌ１０が６．５ｍｍ以上であると、ラベルの加飾範囲を広くすることができる、という利点がある。距離Ｌ１０が１３．５ｍｍ以上であると、この効果がより顕著になる。
【０２８２】
距離Ｌ１０が２９．５ｍｍ以下であると、容器を射出成形により製造する場合、ラベルを金型内に装填すると、ラベルのうち形状変化点よりも上の部分が金型の内面に沿って変形しやすくなるので、成形された容器のラベルにしわが発生するのを防止できる、という利点がある。距離Ｌ１０が２０．０ｍｍ以下であると、この効果がより顕著になる。
【０２８３】
なお、上述の距離Ｌ１０の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２８４】
なお、以下の式が成立する。
Ｌ２＝Ｌ９＋Ｌ１０
【０２８５】
形状変化点ｃと直線部境界点ｄとの距離Ｌ３の範囲は、第１の発明を実施するための形態における形状変化点ｃと直線部境界点ｄとの距離Ｌ３の範囲と同様である。
【０２８６】
直線部境界点ｄと点ｑ間の距離Ｌ１６は１．０〜１０．５ｍｍの範囲内にあることが好ましい。また、距離Ｌ１６は３．０〜８．０ｍｍの範囲内にあることがさらに好ましい。
【０２８７】
距離Ｌ１６が１．０ｍｍ以上であると、容器を射出成形により製造するとき、固定側の金型と可動側金型の間に形成された空間において、底部の中心から外側に流動する溶融樹脂が、ラベルを壁部の外側に押し付けるので、溶融樹脂がラベルの外側と壁部の外側の間に流入するのを防止でき、容器の製品としての品質を向上させることができる、という利点がある。距離Ｌ１６が３．０ｍｍ以上であると、この効果がより顕著になる。
【０２８８】
距離Ｌ１６が１０．５ｍｍ以下であると、容器を射出成形により製造するとき、ラベルの下端が固定側の金型の底に接触しないので、糸足部にしわが発生するのを防止できる、という利点がある。距離Ｌ１６が８．０ｍｍ以下であると、この効果がより顕著になる。
【０２８９】
なお、上述の距離Ｌ１６の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２９０】
点ｑと点ｈ間の距離Ｌ１７は０．１〜３．０ｍｍの範囲内にあることが好ましい。また、距離Ｌ１７は１．０〜２．５ｍｍの範囲内にあることがさらに好ましい。
【０２９１】
距離Ｌ１７が０．１ｍｍ以上であると、容器を射出成形により製造するとき、ラベルの下端が固定側の金型の底に接触しないので、糸足部にしわが発生するのを防止できる、という利点がある。距離Ｌ１７が１．０ｍｍ以上であると、この効果がより顕著になる。
【０２９２】
距離Ｌ１７が３．０ｍｍ以下であると、容器の側面の加飾範囲を広くすることができる、という利点がある。距離Ｌ１７が２．５ｍｍ以下であると、この効果がより顕著になる。
【０２９３】
なお、上述の距離Ｌ１７の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２９４】
ラベル１０の厚さの範囲は、第１の発明を実施するための形態におけるラベル１０の厚さＴ２の範囲と同様である。
【０２９５】
中心軸６から点ｇまでの半径Ｒ９は２５．０〜４０．０ｍｍの範囲内にあることが好ましい。また、半径Ｒ９は２８．０〜３８．０ｍｍの範囲内にあることがさらに好ましい。
【０２９６】
半径Ｒ９が２５．０ｍｍ以上であると、容器に収容する物を充填するにあたって、一般的な自動充填機を採用することができる、という利点がある。半径Ｒ９が２８．０ｍｍ以上であると、この効果がより顕著になる。
【０２９７】
半径Ｒ９が４０．０ｍｍ以下であると、容器に収容する物を充填するにあたって、一般的な自動充填機を採用することができる、という利点がある。半径Ｒ９が３８．０ｍｍ以下であると、この効果がより顕著になる。
【０２９８】
なお、上述の半径Ｒ９の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０２９９】
中心軸６から点ｑまでの半径Ｒ１０は１９．０〜３４．０ｍｍの範囲内にあることが好ましい。また、半径Ｒ１０は２２．０〜３３．０ｍｍの範囲内にあることがさらに好ましい。
【０３００】
半径Ｒ１０が１９．０ｍｍ以上であると、糸足部の下端の直径が大きくなるので、容器を水平面に置いたとき、転倒しにくくなり安定性が良くなる、という利点がある。半径Ｒ１０が２２．０ｍｍ以上であると、この効果がより顕著になる。
【０３０１】
半径Ｒ１０が３４．０ｍｍ以下であると、２つの容器を重ねたとき、上の容器の糸足部の下端と、下の容器の壁部の内面とのクリアランスが大きくなるので、２つの容器の着脱が容易になる、という利点がある。半径Ｒ１０が３３．０ｍｍ以下であると、この効果がより顕著になる。
【０３０２】
なお、上述の半径Ｒ１０の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
中心軸６から側辺境界点ｋまでの半径Ｒ１３は２０．０〜３７．０ｍｍの範囲内にあることが好ましい。また、半径Ｒ１３は２５．５〜３５．０ｍｍの範囲内にあることがさらに好ましい。
【０３０３】
半径Ｒ１３が２０．０ｍｍ以上であると、容器において、ラベルの側辺同士が平行に近づく、という利点がある。半径Ｒ１３が２５．５ｍｍ以上であると、この効果がより顕著になる。
【０３０４】
半径Ｒ１３が３７．０ｍｍ以下であると、容器において、ラベルの側辺同士が平行に近づく、という利点がある。半径Ｒ１３が３５．０ｍｍ以下であると、この効果がより顕著になる。
【０３０５】
なお、上述の半径Ｒ１３の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３０６】
なお、容器１の垂直断面において、上記側辺境界点ｋは、形状変化点ｃよりも下方に存在する。
【０３０７】
図２１は、第２の発明を実施するための形態の容器に用いられるラベルであり、このラベルを展開した場合の展開図である。図２２は、図２１のラベルの部分拡大図である。
【０３０８】
ここでは、ラベル１０の形状について説明する。このラベル１０は、射出成形体からなる容器１に用いられる、ラベルである。また、このラベル１０の形状は、容器を射出成形する前における形状である。
【０３０９】
円弧ｇ，円弧ｃ，円弧ｋ，円弧ｄ，及び円弧ｑについて説明する。
円弧ｇは、点ｇにより形成される円弧である。円弧ｇは、点ｎ１，点ｇ１，点ｇ２，点ｎ２を通過する。なお、点ｎ１，点ｇ１，点ｇ２，点ｎ２については、後述する。
【０３１０】
円弧ｃは、形状変化点により形成される円弧である。また、円弧ｃは、点ｃ１，点ｓ１，点ｓ２，点ｃ２を通過する。なお、点ｃ１，点ｓ１，点ｓ２，点ｃ２については、後述する。
【０３１１】
円弧ｋは、側辺境界点により形成される円弧である。また、円弧ｋは、点ｋ１，点ｋ２を通過する。なお、点ｋ１，点ｋ２については、後述する。
円弧ｄは、直線部境界点により形成される円弧である。また、円弧ｄは、点ｄ１，点ｄ２を通過する。なお、点ｄ１，点ｄ２については、後述する。
【０３１２】
円弧ｑは、点ｑにより形成される円弧である。また、円弧ｑは、点ｐ１，点ｑ１，点ｑ２，点ｐ２を通過する。なお、点ｐ１，点ｑ１，点ｑ２，点ｐ２については、後述する。
【０３１３】
なお、円弧ｇ，円弧ｃ，円弧ｋ，円弧ｄ，及び円弧ｑを形成するそれぞれの円は、同心円である。
【０３１４】
図２１，２２において、点線で表示したラベルの側辺（以下、「点線表示の側辺」とする。）について説明する。この点線表示の側辺の形状は、容器１の外径に基づき計算した側辺の形状である。
点線表示の側辺は、点ｎ１，点ｓ１，点ｋ１，点ｐ１を通過する。ここで、点ｎ１，点ｓ１は直線上にある。また、点ｓ１，点ｋ１，点ｐ１は直線上にある。
点線表示の側辺は、点ｎ２，点ｓ２，点ｋ２，点ｐ２を通過する。ここで、点ｎ２，点ｓ２は直線上にある。また、点ｓ２，点ｋ２，点ｐ２は直線上にある。
【０３１５】
図２１，２２において、実線で表示したラベルの側辺について説明する。この実線で表示したラベルの側辺の形状は、本発明の容器の製造に使用したラベルの側辺の形状である。以下、この実線で表示したラベルの側辺を、単に「ラベルの側辺」とする。
【０３１６】
ラベルの側辺１３は、点ｇ１，点ｃ１，点ｋ１，点ｄ１，点ｑ１を通過する。ここで、点ｇ１，点ｃ１，点ｋ１は直線上にある。また、点ｋ１，点ｄ１，点ｑ１は直線上にある。また、点ｋ１は、点線表示の側辺とラベルの側辺１３の交点である。
ラベルの側辺１３は、点ｇ２，点ｃ２，点ｋ２，点ｄ２，点ｑ２を通過する。ここで、点ｇ２，点ｃ２，点ｋ２は直線上にある。また、点ｋ２，点ｄ２，点ｑ２は直線上にある。また、点ｋ２は、点線表示の側辺とラベルの側辺１３の交点である。
【０３１７】
ラベルの側辺１３は、上側辺１４と下側辺１５からなる。
ここで、上側辺１４とは、直線状にある点ｇ１，点ｃ１，点ｋ１からなる側辺とする。また、上側辺１４とは、直線状にある点ｇ２，点ｃ２，点ｋ２からなる側辺とする。
下側辺１５とは、直線状にある点ｋ１，点ｄ１，点ｑ１からなる側辺とする。また、下側辺１５とは、直線状にある点ｋ２，点ｄ２，点ｑ２からなる側辺とする。
【０３１８】
前記上側辺１４と前記下側辺１５は、側辺境界点ｋ１で連続している。また、前記上側辺１４と前記下側辺１５は、側辺境界点ｋ２で連続している。
【０３１９】
円弧ｇと円弧ｑの半径方向の距離Ｌ１１は４２．０〜１１４．０ｍｍの範囲内にあることが好ましい。また、距離Ｌ１１は４９．０〜６９．０ｍｍの範囲内にあることがさらに好ましい。
【０３２０】
距離Ｌ１１が４２．０ｍｍ以上であると、容器に収容する物を充填するにあたって、一般的な自動充填機を採用することができる、という利点がある。距離Ｌ１１が４９．０ｍｍ以上であると、この効果がより顕著になる。
【０３２１】
距離Ｌ１１が１１４．０ｍｍ以下であると、容器に収容する物を充填するにあたって、一般的な自動充填機を採用することができる、という利点がある。距離Ｌ１１が６９．０ｍｍ以下であると、この効果がより顕著になる。
【０３２２】
なお、上述の距離Ｌ１１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３２３】
なお、以下の式が成立する。
Ｌ１１＝Ｌ１０＋Ｌ３＋Ｌ１６
【０３２４】
円弧ｃと円弧ｋの半径方向の距離Ｌ１５は０．５〜２９．０ｍｍの範囲内にあることが好ましい。また、距離Ｌ１５は５．０〜２０．０ｍｍの範囲内にあることがさらに好ましい。
【０３２５】
距離Ｌ１５が０．５ｍｍ以上であると、容器において、ラベルの側辺同士が平行に近づく、という利点がある。距離Ｌ１５が５．０ｍｍ以上であると、この効果がより顕著になる。
【０３２６】
距離Ｌ１５が２９．０ｍｍ以下であると、容器において、ラベルの側辺同士が平行に近づく、という利点がある。距離Ｌ１５が２０．０ｍｍ以下であると、この効果がより顕著になる。
【０３２７】
なお、上述の距離Ｌ１５の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３２８】
円弧ｇと円弧ｋの半径方向の距離Ｌ１４は１６．５〜４５．０ｍｍの範囲内にあることが好ましい。また、距離Ｌ１４は２４．０〜３８．０ｍｍの範囲内にあることがさらに好ましい。
【０３２９】
距離Ｌ１４が１６．５ｍｍ以上であると、容器において、ラベルの側辺同士が平行に近づく、という利点がある。距離Ｌ１４が２４．０ｍｍ以上であると、この効果がより顕著になる。
【０３３０】
距離Ｌ１４が４５．０ｍｍ以下であると、容器において、ラベルの側辺同士が平行に近づく、という利点がある。距離Ｌ１４が３８．０ｍｍ以下であると、この効果がより顕著になる。
【０３３１】
なお、上述の距離Ｌ１４の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３３２】
点ｎ１と点ｎ２間の円弧の距離Ｕ５は１５３．０〜２４０．０ｍｍの範囲内にあることが好ましい。また、距離Ｕ５は１６６．０〜２１２．０ｍｍの範囲内にあることがさらに好ましい。
【０３３３】
距離Ｕ５が１５３．０ｍｍ以上であると、容器に収容する物を充填するにあたって、一般的な自動充填機を採用することができる、という利点がある。距離Ｕ５が１６６．０ｍｍ以上であると、この効果がより顕著になる。
【０３３４】
距離Ｕ５が２４０．０ｍｍ以下であると、容器に収容する物を充填するにあたって、一般的な自動充填機を採用することができる、という利点がある。距離Ｕ５が２１２．０ｍｍ以下であると、この効果がより顕著になる。
【０３３５】
なお、上述の距離Ｕ５の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３３６】
点ｇ１と点ｇ２間の円弧の距離Ｕ６は１４６．０〜２３４．０ｍｍの範囲内にあることが好ましい。また、距離Ｕ６は１５９．０〜２０６．０ｍｍの範囲内にあることがさらに好ましい。
【０３３７】
距離Ｕ６が１４６．０ｍｍ以上であると、容器に収容する物を充填するにあたって、一般的な自動充填機を採用することができる、という利点がある。距離Ｕ６が１５９．０ｍｍ以上であると、この効果がより顕著になる。
【０３３８】
距離Ｕ６が２３４．０ｍｍ以下であると、容器に収容する物を充填するにあたって、一般的な自動充填機を採用することができる、という利点がある。距離Ｕ６が２０６．０ｍｍ以下であると、この効果がより顕著になる。
【０３３９】
なお、上述の距離Ｕ６の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３４０】
点ｇ１と点ｎ１間の円弧の距離Ｙ１、及び点ｇ２と点ｎ２間の円弧の距離Ｙ１は０．１〜５．０ｍｍの範囲内にあることが好ましい。また、距離Ｙ１は２．０〜４．０ｍｍの範囲内にあることがさらに好ましい。
【０３４１】
距離Ｙ１が０．１ｍｍ以上であると、容器において、ラベルの側辺同士が平行に近づく、という利点がある。距離Ｙ１が２．０ｍｍ以上であると、この効果がより顕著になる。
【０３４２】
距離Ｙ１が５．０ｍｍ以下であると、容器において、ラベルの側辺同士が平行に近づく、という利点がある。距離Ｙ１が４．０ｍｍ以下であると、この効果がより顕著になる。
【０３４３】
なお、上述の距離Ｙ１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３４４】
なお、以下の式が成立する。
Ｕ５＝Ｕ６＋２×Ｙ１
Ｕ６＝Ｕ５−２×Ｙ１
Ｕ５＝２π×Ｒ９−Ｚ２
【０３４５】
点ｐ１と点ｐ２間の円弧の距離Ｕ７は１２０．０〜２１０．０ｍｍの範囲内にあることが好ましい。また、距離Ｕ７は１３５．０〜１８０．０ｍｍの範囲内にあることがさらに好ましい。
【０３４６】
距離Ｕ７が１２０．０ｍｍ以上であると、容器に収容する物を充填するにあたって、一般的な自動充填機を採用することができる、という利点がある。距離Ｕ７が１３５．０ｍｍ以上であると、この効果がより顕著になる。
【０３４７】
距離Ｕ７が２１０．０ｍｍ以下であると、容器に収容する物を充填するにあたって、一般的な自動充填機を採用することができる、という利点がある。距離Ｕ７が１８０．０ｍｍ以下であると、この効果がより顕著になる。
【０３４８】
なお、上述の距離Ｕ７の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３４９】
点ｑ１と点ｑ２間の円弧の距離Ｕ８は１１２．０〜２０９．０ｍｍの範囲内にあることが好ましい。また、距離Ｕ８は１２７．０〜１７９．０ｍｍの範囲内にあることがさらに好ましい。
【０３５０】
距離Ｕ８が１１２．０ｍｍ以上であると、容器に収容する物を充填するにあたって、一般的な自動充填機を採用することができる、という利点がある。距離Ｕ８が１２７．０ｍｍ以上であると、この効果がより顕著になる。
【０３５１】
距離Ｕ８が２０９．０ｍｍ以下であると、容器に収容する物を充填するにあたって、一般的な自動充填機を採用することができる、という利点がある。距離Ｕ８が１７９．０ｍｍ以下であると、この効果がより顕著になる。
【０３５２】
なお、上述の距離Ｕ８の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３５３】
点ｑ１と点ｐ１間の円弧の距離Ｙ２、及び点ｑ２と点ｐ２間の円弧の距離Ｙ２は０．１〜４．０ｍｍの範囲内にあることが好ましい。また、距離Ｙ２は０．３〜２．５ｍｍの範囲内にあることがさらに好ましい。
【０３５４】
距離Ｙ２が０．１ｍｍ以上であると、容器において、ラベルの側辺同士が平行に近づく、という利点がある。距離Ｙ２が０．３ｍｍ以上であると、この効果がより顕著になる。
【０３５５】
距離Ｙ２が４．０ｍｍ以下であると、容器において、ラベルの側辺同士が平行に近づく、という利点がある。距離Ｙ２が２．５ｍｍ以下であると、この効果がより顕著になる。
【０３５６】
なお、上述の距離Ｙ２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３５７】
なお、以下の式が成立する。
Ｕ７＝Ｕ８＋２×Ｙ２
Ｕ８＝Ｕ７−２×Ｙ２
Ｕ７＝２π×Ｒ１０−Ｚ２
【０３５８】
点ｓ１と点ｓ２の間の円弧の距離Ｕ１１は１３４．０〜２３８．０ｍｍの範囲内にあることが好ましい。また、距離Ｕ１１は１６８．０〜２２５．０ｍｍの範囲内にあることがさらに好ましい。
【０３５９】
距離Ｕ１１が１３４．０ｍｍ以上であると、射出成形により容器を製造する場合、容器を金型から離型するのが容易になる、という利点がある。距離Ｕ１１が１６８．０ｍｍ以上であると、この効果がより顕著になる。
【０３６０】
距離Ｕ１１が２３８．０ｍｍ以下であると、容器上部の曲面部が視覚的に際立ち、容器全体の美観性が向上する、という利点がある。距離Ｕ１１が２２５．０ｍｍ以下であると、この効果がより顕著になる。
【０３６１】
なお、上述の距離Ｕ１１の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３６２】
なお、以下の式が成立する。
Ｕ１１＝２π×Ｒ３−Ｚ２
【０３６３】
点ｋ１と点ｋ２の間の円弧の距離Ｕ１２は１２４．０〜２３１．０ｍｍの範囲内にあることが好ましい。また、距離Ｕ１２は１５９．０〜２１９．０ｍｍの範囲内にあることがさらに好ましい。
【０３６４】
距離Ｕ１２が１２４．０ｍｍ以上であると、容器において、ラベルの側辺同士が平行に近づく、という利点がある。距離Ｕ１２が１５９．０ｍｍ以上であると、この効果がより顕著になる。
【０３６５】
距離Ｕ１２が２３１．０ｍｍ以下であると、容器において、ラベルの側辺同士が平行に近づく、という利点がある。距離Ｕ１２が２１９．０ｍｍ以下であると、この効果がより顕著になる。
【０３６６】
なお、上述の距離Ｕ１２の数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３６７】
なお、以下の式が成立する。
Ｕ１２＝２π×Ｒ１３−Ｚ２
【０３６８】
ラベルの上側辺１４と下側辺１５のなす角度γは１７５．０〜１８０．０°の範囲内にあることが好ましい。また、角度γは１７６．０〜１８０．０°の範囲内にあることがさらに好ましい。
【０３６９】
角度γが１７５．０°以上であると、容器において、ラベルの側辺同士が平行に近づく、という利点がある。角度γが１７６．０°以上であると、この効果がより顕著になる。
【０３７０】
角度γが１８０．０°以下であると、容器において、ラベルの側辺同士が平行に近づく、という利点がある。
【０３７１】
なお、上述の角度γの数値範囲は、あくまでも好ましい範囲またはさらに好ましい範囲を示すものである。従って、これらの好ましい範囲またはさらに好ましい範囲以外の範囲においても、上述した効果を奏し得ることはもちろんである。
【０３７２】
容器の水平方向の形状は、円形に限定されることはない。容器の水平方向の形状は、楕円形、多角形、曲線形等のその他の形状を採用することができる。
【０３７３】
容器に収容する物としては、ヨーグルト、スープ、ジュース、ゼリー、チーズ、アイスクリーム等の食品を挙げることができる。なお、容器に収容する物としては、食品に限定されるわけでなく、この他の物を収容することができる。
【０３７４】
容器の材質としては、ポリプロピレン（ＰＰ）、ポリエチレン（ＰＥ）、ポリスチレン（ＰＳ）、アクリロニトリル・ブタジエン・スチレン共重合体（ＡＢＳ）、ポリエチレンテレフタレート（ＰＥＴ）等の熱可塑性樹脂のうち、いずれか１種またはいずれか２種以上の組み合わせを採用することができる。
【０３７５】
ラベルとしては、単層、２層、３層等からなるフィルムを採用することができる。
単層からなるフィルムの材質としては、紙、合成紙、ポリプロピレン（ＰＰ）、ポリエチレン（ＰＥ）、ポリスチレン（ＰＳ）、アクリロニトリル・ブタジエン・スチレン共重合体（ＡＢＳ）、ポリエチレンテレフタレート（ＰＥＴ）等、またはこれらに印刷を施したものを採用することができる。
【０３７６】
２層からなるフィルムの材質としては、上述の単層からなるフィルムを２枚重ねたもので、その間に印刷を施したもの等を採用することができる。また、上述の単層からなるフィルムとヒートシール性二軸延伸ポリプロピレンフィルム（ＨＳＯＰＰ）等を積層したもの、またはこれらに印刷を施したものを採用することができる。
【０３７７】
３層からなるフィルムの材質としては、表面層として上述の単層からなるフィルム、中間層として、アルミニウム箔、並びに、金属または金属酸化物の蒸着層を被着した、ポリエチレン、ポリプロピレン、ポリエチレンテレフタレート等のプラスチックフィルムであり、例えば、アルミ蒸着ポリエチレンテフタレートフィルム（ＶＭＰＥＴ）、酸化硅素蒸着ポリエチレンテレフタレートフィルム、または酸化アルミニウム蒸着ポリエチレンテレフタレートフィルム、この他、エチレン−ビニルアルコール共重合体（ＥＶＯＨ）等、裏面層として上述の単層からなるフィルムを積層したもの、またはこれらに印刷を施したものを採用することができる。また、上述した３層からなるフィルムの裏面層としてヒートシール性二軸延伸ポリプロピレンフィルム（ＨＳＯＰＰ）等を採用することができる。
【０３７８】
ラベルとしては、上述した単層、２層、３層からなるフィルムに限定されない。この他ラベルとしては、４層以上からなるフィルムを採用することができる。４層以上からなるフィルムの材質としては、上述した種々の材質、またはこれらに印刷を施したものを採用することができる。
【０３７９】
蓋材としては、プラスチックシートと、アルミニウム等のシートとが積層されてなる複合シートを用いることができる。プラスチックシートの材質としては、ポリエチレンテレフタレートまたはポリスチレン等を挙げることができる。プラスチックシートは、一種の材質からなる単層シートでも良いし、複数種の材質のプラスチックシートが積層されてなる複合シートでも良い。
【０３８０】
以下、本発明の容器１の製造方法について説明する。
本発明の容器１は、射出成形法により製造することができる。
射出成形法について説明する。射出成形法の工程は、ラベル搬送工程、ラベル装填工程、金型閉工程、溶融樹脂充填工程、金型開工程、及び離型工程を含む。
【０３８１】
ラベル搬送工程では、互いに離れている可動側金型と固定側金型の間に、ラベル１０を導入する。
ラベル装填工程では、ラベル１０を固定側金型に装填する。ラベル１０の装填方法としては、空気吸引や静電気等によるラベルの吸着等、通常使用する方法を採用することができる。
【０３８２】
金型閉工程では、可動側金型を固定側金型に向けて移動させる。金型閉工程が完了すると、可動側金型と固定側金型の間には、容器１に対応する空間が形成される。
溶融樹脂充填工程では、ゲートから注入された溶融樹脂が、容器１に対応する空間に流入する。溶融樹脂は、この空間を流動する際に、ラベル１０を固定側金型に押し付ける。その結果、ラベル１０は、固定側金型の内面に密着する。
【０３８３】
金型開工程では、空間内の溶融樹脂が冷却した後、可動側金型を固定側金型から離れる方向に移動させる。射出成形品である容器１は、可動側金型に密着したまま移動する。
離型工程では、ストリッパーにより、射出成形品を可動側金型から離型する。この離型により、射出成形品である容器１を得ることができる。
【０３８４】
なお、本発明は上述の発明を実施するための形態に限らず本発明の要旨を逸脱することなくその他種々の構成を採り得ることはもちろんである。
【符号の説明】
【０３８５】
１‥‥容器、２‥‥底部、３‥‥壁部、４‥‥フランジ部、５‥‥糸足部、６‥‥中心軸、１０‥‥ラベル、１１‥‥凹状部、１２‥‥凸状部、１３‥‥ラベルの側辺、１４‥‥上側辺、１５‥‥下側辺、１６‥‥ラベルの上辺、２０‥‥曲線部、２１‥‥上直線部、２２‥‥下直線部、ａ，ｂ，ｅ，ｇ，ｑ‥‥点（円弧）、ｈ，ｏ‥‥点、c‥‥形状変化点（円弧）、d‥‥直線部境界点（円弧）、f‥‥凹状部の下端（円弧）、ｉ，ｋ‥‥側辺境界点（円弧）、ｉ１，ｉ２，ｋ１，ｋ２‥‥側辺境界点、Ｚ１，Ｚ２‥‥側辺間の幅
【図１】
2020117281.tif 000003
【図２】
2020117281.tif 000004
【図３】
2020117281.tif 000005
【図４】
2020117281.tif 000006
【図５】
2020117281.tif 000007
【図６】
2020117281.tif 000008
【図７】
2020117281.tif 000009
【図８】
2020117281.tif 000010
【図９】
2020117281.tif 000011
【図１０】
2020117281.tif 000012
【図１１】
2020117281.tif 000013
【図１２】
2020117281.tif 000014
【図１３】
2020117281.tif 000015
【図１４】
2020117281.tif 000016
【図１５】
2020117281.tif 000017
【図１６】
2020117281.tif 000018
【図１７】
2020117281.tif 000019
【図１８】
2020117281.tif 000020
【図１９】
2020117281.tif 000021
【図２０】
2020117281.tif 000022
【図２１】
2020117281.tif 000023
【図２２】
2020117281.tif 000024
【図２３】
2020117281.tif 000025
【図２４】
2020117281.tif 000026
【図２５】
2020117281.tif 000027
【図２６】
2020117281.tif 000028
【図２７】
2020117281.tif 000029